(57)【特許請求の範囲】
【請求項１】
公衆網により接続され、サイマル放送の放送本編を配信するサイマル放送配信サーバと、
公衆網により接続され、シンクロアドを配信するシンクロアド配信サーバと、
上記サイマル放送配信サーバ及び上記シンクロアド配信サーバのそれぞれに接続された再生端末装置と、
上記再生端末装置における上記サイマル放送配信サーバから送信された放送本編の広告枠の再生時間（Ｎ時）と上記再生端末装置における上記シンクロアド配信サーバから送信されたシンクロアドの表示時間（Ｓ時）とをそれぞれ計測する計測手段と、
上記計測した再生時間と上記計測した表示時間との時間の差分（｜Ｎ−Ｓ｜）を算出する算出手段と、
上記算出された時間の差分に応じて上記サイマル放送配信サーバ及び上記シンクロアド配信サーバのそれぞれに対して上記再生端末装置における表示時間を調整する調整手段と、
を備え、それにより上記再生端末装置における上記放送本編の上記広告枠と上記シンクロアドの表示時間とを同期させることを特徴とするシンクロアド放送配信装置。
【請求項２】
上記シンクロアド配信サーバは、バッファリング手段を備え、
上記算出手段は、基準信号感知時間（Ｎ時）とシンクロアドファイル読込ログ時間（Ｓ時）の時間の差を計算し、
Ｎ−Ｓ＜０の場合、上記調整手段は、放送の広告枠の配信時間よりシンクロアドファイルの表示時間が｜Ｎ−Ｓ｜時間遅延するので、上記シンクロアド配信サーバの上記バッファリング手段により｜Ｎ−Ｓ｜時間のバッファを放送の広告枠の配信時間について実行することにより、上記放送本編の広告枠と上記シンクロアドの表示時間とを同期させることを特徴とする請求項１に記載のシンクロアド放送配信装置。
【請求項３】
上記サイマル放送配信サーバは、バッファリング手段を備え、
上記算出手段は、基準信号感知時間（Ｎ時）とシンクロアドファイル読込ログ時間（Ｓ時）の時間の差を計算し、
Ｎ−Ｓ＞０の場合、上記調整手段は、放送の広告枠の配信時間よりシンクロアドファイルの表示時間が｜Ｎ−Ｓ｜時間早くなるので、上記サイマル放送配信サーバの上記バッファリング手段により｜Ｎ−Ｓ｜時間のバッファをシンクロアドファイルの表示時間について実行することにより、上記放送本編の広告枠と上記シンクロアドの表示時間とを同期させることを特徴とする請求項１または請求項２に記載のシンクロアド放送配信装置。
【請求項４】
上記再生端末装置のディスプレイ上に表示された広告関連情報を該再生端末装置の利用者がクリックしたがどうかを検出できるように構成されたクリック検出装置を更に備えることを特徴とする請求項１ないし請求項３のいずれか一項に記載のシンクロアド放送配信装置。
【請求項５】
上記クリック検出装置により上記再生端末装置のディスプレイ上に表示された広告関連情報を該再生端末装置の利用者がクリックしたことが検出された場合、所定のメカニズムに基づき実施料金を算出するように構成された実施料金算出装置を更に備えることを特徴とする請求項１ないし請求項４のいずれか一項に記載のシンクロアド放送配信装置。
【請求項６】
公衆網により接続されたサイマル放送配信サーバからサイマル放送の放送本編を配信する段階と、
公衆網により接続されたシンクロアド配信サーバからシンクロアドを配信する段階と、
上記サイマル放送配信サーバ及び上記シンクロアド配信サーバにそれぞれ接続された再生端末装置における上記サイマル放送配信サーバから送信された放送本編の放送枠の再生時間（Ｎ時）と上記再生端末装置における上記シンクロアド配信サーバから送信されたシンクロアドの表示時間（Ｓ時）とをそれぞれ計測する計測段階と、
上記計測段階で計測した再生時間と上記計測段階で計測した表示時間との時間の差分（｜Ｎ−Ｓ｜）を算出する算出段階と、
上記算出段階で算出された時間の差分に応じて上記サイマル放送配信サーバ及び上記シンクロアド配信サーバのそれぞれに対して上記再生端末装置における表示時間を調整する調整段階と、
を含み、それにより上記再生端末装置における上記放送本編の広告枠と上記シンクロアドの表示時間とを同期させることを特徴とするシンクロアド放送配信方法。
【請求項７】
上記シンクロアド配信サーバで上記シンクロアド配信をバッファリングする段階を含み、
上記算出段階では、基準信号感知時間（Ｎ時）とシンクロアドファイル読込ログ時間（Ｓ時）の時間の差を計算し、
Ｎ−Ｓ＜０の場合、上記調整段階では、放送の広告枠の配信時間よりシンクロアドファイルの表示時間が｜Ｎ−Ｓ｜時間遅延するので、上記シンクロアド配信サーバの上記バッファリング段階により｜Ｎ−Ｓ｜時間のバッファを放送の広告枠の配信時間について実行することにより、上記放送本編の広告枠と上記シンクロアドの表示時間とを同期させることを特徴とする請求項６に記載のシンクロアド放送配信方法。
【請求項８】
上記サイマル放送配信サーバで上記サイマル放送をバッファリングする段階を含み、
上記算出段階では、基準信号感知時間（Ｎ時）とシンクロアドファイル読込ログ時間（Ｓ時）の時間の差を計算し、
Ｎ−Ｓ＞０の場合、上記調整段階では、放送の広告枠の配信時間よりシンクロアドファイルの表示時間が｜Ｎ−Ｓ｜時間早くなるので、上記サイマル放送配信サーバの上記バッファリング段階により｜Ｎ−Ｓ｜時間のバッファをシンクロアドファイルの表示時間について実行することにより、上記放送本編の広告枠と上記シンクロアドの表示時間とを同期させることを特徴とする請求項６または請求項７に記載のシンクロアド放送配信方法。
【請求項９】
上記再生端末装置のディスプレイ上に表示された広告関連情報を該再生端末装置の利用者がクリックしたがどうかを検出する段階を更に含む請求項６ないし請求項８のいずれか一項に記載のシンクロアド放送配信方法。
【請求項１０】
上記クリックを検出する段階で上記再生端末装置のディスプレイ上に表示された広告関連情報を該再生端末装置の利用者がクリックしたことが検出された場合、所定のメカニズムに基づき実施料金を算出する段階を更に含むことを特徴とする請求項６ないし請求項９のいずれか一項に記載のシンクロアド放送配信方法。
【発明の詳細な説明】
【技術分野】
【０００１】
本発明は、サイマル放送を利用したシンクロアド放送配信装置及び方法に関する。
【背景技術】
【０００２】
インターネット通信網および衛星放送の普及と共に、国民に広く普及している携帯電話、携帯端末、等の機能の拡張に伴い、テレビやラジオによる放送と同時に、同じ放送内容をＩＰ網（例えば、ＩＰＴＶ、ＩＰラジオ、等）、デジタルＣＡＴＶ、デジタル放送（例えば、ワンセグ、等）のような、本放送以外の伝送路を使用してリアルタイムで配信するサイマル配信が提供されるようになり、一般の人達にも徐々に利用されるようになってきた。
【０００３】
更に、携帯端末の機能拡充によりＴＶ放送中の番組をワンセグでリアルタイムに観ることができるようになってきた。
【０００４】
現在地上波デジタル及び衛星デジタル放送で実用化されているデータ放送を利用すれば、放送中の広告に連動してシンクロアドを、端末装置であるテレビ受像機又はワンセグ対応携帯電話のディスプレイに表示することが可能である。
【発明の開示】
【発明が解決しようとする課題】
【０００５】
しかしながら、日本のデータ放送はＢＭＬ(Broadcast Markup Language)という独自の言語を用いて記述されており、表示のためには端末装置側でＢＭＬブラウザを起動する必要がある。その結果、一般に広く普及しているＨＴＭＬで記述されているＷｅｂデータをそのまま利用することができず、別個にデータを作成しなければならないため、制作コスト、制作時間、等の様々な点から、番組連動型データ放送が普及しないという問題点がある。
【０００６】
また、現行のデータ放送における双方向性については、択一のクイズや投票などの単回答といったような限定な利用のみを想定しており、電話回線を利用した簡易な機能だけが実装されていて、広告主サイトへ直接リンクすることが困難であるという問題点があった。
【０００７】
更に、ワンセグ携帯の場合、外部リンクは可能であるが、新たにＨＴＭＬブラウザを起動させるという手順が必要であり、操作面でユーザに負荷をかけるという問題点ある。
【０００８】
ネット接続型のテレビ受像機の機能を拡張することにより、データ放送から外部リンクを実現することは技術的に可能であるが、広告主サイトへリンクした場合、放送本編の放送が中断されるという、画面内競合が生じるため、放送局が積極的に推進することができないという問題点があった。
【０００９】
テレビを視聴しながら携帯やＰＣを利用するというダブルスクリーン、トリプルスクリーン視聴が一般化している現実に鑑みると、放送本編を視聴する再生端末装置と、シンクロアドを表示操作する再生端末装置が異なっていた方がシンクロアドを実現するためには望ましいが、しかし現行のデータ放送では、このように異なった再生端末装置に対して様々な情報を配信することや役務を提供することができないという問題点があった。
【００１０】
本発明は、上述した従来のデータ放送における問題に鑑みてなされたものであり、テレビ、ラジオで放送される広告（ＣＭ）枠に同期して、再生端末装置のディスプレイに、広告主サイトとハイパーリンクされている広告関連情報を表示させると共に、再生端末装置の利用者がクリックするたびに、該広告関連情報に対応付けて設定された料金を自動的に発生するように構成されたシンクロアド（放送連動型広告）を実現するシンクロアド放送配信装置及び方法を提供することをその課題とする。
【課題を解決するための手段】
【００１１】
本発明の上記課題は、公衆網により接続され、サイマル放送の放送本編を配信するサイマル放送配信サーバと、公衆網により接続され、シンクロアドを配信するシンクロアド配信サーバと、上記サイマル放送配信サーバ及び上記シンクロアド配信サーバのそれぞれに接続された再生端末装置と、上記再生端末装置における上記サイマル放送配信サーバから送信された放送本編の広告枠の再生時間（Ｎ時）と上記再生端末装置における上記シンクロアド配信サーバから送信されたシンクロアドの表示時間（Ｓ時）とをそれぞれ計測する計測手段と、上記計測した再生時間と上記計測した表示時間との時間の差分（｜Ｎ−Ｓ｜）を算出する算出手段と、上記算出された時間の差分に応じて上記サイマル放送配信サーバ及び上記シンクロアド配信サーバのそれぞれに対して表示時間を調整する調整手段と、を備え、それにより上記再生端末装置における上記放送本編の上記広告枠と上記シンクロアドの表示時間とを同期させることを特徴とするシンクロアド放送配信装置によって達成される。
【００１２】
また、本発明の上記課題は、公衆網により接続されたサイマル放送配信サーバからサイマル放送の放送本編を配信する段階と、公衆網により接続されたシンクロアド配信サーバからシンクロアドを配信する段階と、上記サイマル放送配信サーバ及び上記シンクロアド配信サーバにそれぞれ接続された再生端末装置における上記サイマル放送配信サーバから送信された放送本編の放送枠の再生時間（Ｎ時）と上記再生端末装置における上記シンクロアド配信サーバから送信されたシンクロアドの表示時間（Ｓ時）とをそれぞれ計測する計測段階と、上記計測段階で計測した再生時間と上記計測段階で計測した表示時間との時間の差分（｜Ｎ−Ｓ｜）を算出する算出段階と、上記算出段階で算出された時間の差分に応じて上記サイマル放送配信サーバ及び上記シンクロアド配信サーバのそれぞれに対して表示時間を調整する調整段階と、を含み、それにより上記再生端末装置における上記放送本編の広告枠と上記シンクロアドの表示時間とを同期させることを特徴とするシンクロアド放送配信方法によって達成される。
【００１３】
本発明のシンクロアド放送配信装置では、上記シンクロアド配信サーバは、バッファリング手段を備え、上記算出手段は、基準信号感知時間（Ｎ時）とシンクロアドファイル読込ログ時間（Ｓ時）の時間の差を計算し、Ｎ−Ｓ＜０の場合、上記調整手段は、放送の広告枠の配信時間よりシンクロアドファイルの表示時間が｜Ｎ−Ｓ｜時間遅延するので、上記シンクロアド配信サーバの上記バッファリング手段により｜Ｎ−Ｓ｜時間のバッファを放送の広告枠の配信時間について実行することにより、上記放送本編の広告枠と上記シンクロアドの表示時間とを同期させるように構成してもよい。
【００１４】
本発明のシンクロアド放送配信装置では、上記サイマル放送配信サーバは、バッファリング手段を備え、上記算出手段は、基準信号感知時間（Ｎ時）とシンクロアドファイル読込ログ時間（Ｓ時）の時間の差を計算し、Ｎ−Ｓ＞０の場合、上記調整手段は、放送の広告枠の配信時間よりシンクロアドファイルの表示時間が｜Ｎ−Ｓ｜時間早くなるので、上記サイマル放送配信サーバの上記バッファリング手段により｜Ｎ−Ｓ｜時間のバッファをシンクロアドファイルの表示時間について実行することにより、上記放送本編の広告枠と上記シンクロアドの表示時間とを同期させるように構成してもよい。
【００１５】
本発明のシンクロアド放送配信装置では、上記再生端末装置のディスプレイ上に表示された広告関連情報を該再生端末装置の利用者がクリックしたがどうかを検出できるように構成されたクリック検出装置を更に備えて構成してもよい。
【００１６】
本発明のシンクロアド放送配信装置では、上記クリック検出装置により上記再生端末装置のディスプレイ上に表示された広告関連情報を該再生端末装置の利用者がクリックしたことが検出された場合、所定のメカニズムに基づき実施料金を算出するように構成された実施料金算出装置を更に備えて構成してもよい。
【００１７】
本発明のシンクロアド放送配信方法では、上記シンクロアド配信サーバで上記シンクロアド配信をバッファリングする段階を含み、上記算出段階では、基準信号感知時間（Ｎ時）とシンクロアドファイル読込ログ時間（Ｓ時）の時間の差を計算し、Ｎ−Ｓ＜０の場合、上記調整段階では、放送の広告枠の配信時間よりシンクロアドファイルの表示時間が｜Ｎ−Ｓ｜時間遅延するので、上記シンクロアド配信サーバの上記バッファリング段階により｜Ｎ−Ｓ｜時間のバッファを放送の広告枠の配信時間について実行することにより、上記放送本編の広告枠と上記シンクロアドの表示時間とを同期させるように構成してもよい。
【００１８】
本発明のシンクロアド放送配信方法では、上記サイマル放送配信サーバで上記サイマル放送をバッファリングする段階を含み、上記算出段階では、基準信号感知時間（Ｎ時）とシンクロアドファイル読込ログ時間（Ｓ時）の時間の差を計算し、Ｎ−Ｓ＞０の場合、上記調整段階では、放送の広告枠の配信時間よりシンクロアドファイルの表示時間が｜Ｎ−Ｓ｜時間早くなるので、上記サイマル放送配信サーバの上記バッファリング段階により｜Ｎ−Ｓ｜時間のバッファをシンクロアドファイルの表示時間について実行することにより、上記放送本編の広告枠と上記シンクロアドの表示時間とを同期させるように構成してもよい。
【００１９】
本発明のシンクロアド放送配信方法では、上記再生端末装置のディスプレイ上に表示された広告関連情報を該再生端末装置の利用者がクリックしたがどうかを検出する段階を更に含むように構成してもよい。
【００２０】
本発明のシンクロアド放送配信方法では、上記クリックを検出する段階で上記再生端末装置のディスプレイ上に表示された広告関連情報を該再生端末装置の利用者がクリックしたことが検出された場合、所定のメカニズムに基づき実施料金を算出する段階を更に含むように構成してもよい。
【発明の効果】
【００２１】
利用者の再生端末装置での広告の再生、表示を基準にしているため、それまでの過程における遅延原因を吸収して、シンクロアドの最適化を実現することができる。
【００２２】
配信形態（地上ＩＰ網、ＣＡＴＶ、ワンセグ）と再生端末装置の形態（ＰＣ、携帯、汎用テレビ、情報端末、等）ごとに同期タイミングを計測し、シンクロアドの最適化を実現することができる。
【００２３】
また、定期的に同期タイミング調整を行うことにより、再生端末装置の表示能力の向上、バッファリングメモリの増加など標準的な再生端末装置の進化に対応することもできる。
【発明を実施するための最良の形態】
【００２４】
以下、添付した図面を参照して、本発明によるシンクロアド放送配信装置及び方法の実施形態を説明する。
【００２５】
図１は、本発明によるシンクロアド放送配信装置１０の概略構成を示す図である。
【００２６】
図１に示すように、シンクロアド放送配信装置１０は、放送局から放送するために、予め製作されたシンクロアド部分に対応する放送用素材（シンクロアド素材と称する）１１をセットし、セットしたシンクロアド素材１１に基づき、対応する放送用素材を放送配信するように設定すると共に、シンクロアド素材１１をエンコーダ１３に配信するように構成された放送局マスタ１２と、放送局マスタ１２から受信したシンクロアド素材１１をエンコードするエンコ-ダ１３と、を備える。
【００２７】
シンクロアド放送配信装置１０は、シンクロアド素材１１から特徴量データを抽出し、抽出した特徴量データと、共通コード管理センター（図示省略）が付番する１０桁ＣＭコード等の素材を特定する共通コードと、ＣＭ特徴量データであることが識別できる拡張子ファイルとを、１つにまとめた特徴量データファイルを生成する特徴量データ抽出／ファイル生成装置１４と、シンクロアド素材１１から抽出した特徴量データを格納するためのデータベース（ＤＢ）１５と、シンクロアド素材１１から抽出して格納した特徴量データをデータベース（ＤＢ）１５から読み出すと共に、放送局から放送配信された放送用素材を受信し、当該受信した放送用素材を復調し、当該復調した放送用素材の映像または音声信号から特徴量データを逐次抽出し、番組・音楽、ＣＭ、等のシンクロアド素材１１に係わる特徴量データを照合し、照合の結果、特徴量データが一致した場合或いは一定の閾値を超えた場合には、シンクロアドを出力するように構成された特徴量データ照合／データ配信用サーバ１６と、を備える。
【００２８】
また、シンクロアド放送配信装置１０は、エンコーダ１３から出力された放送本編を入力し、入力した放送本編を一時的に蓄えて或いは緩衝して出力するバッファリング装置（データバッファリング装置）１７と、データバッファリング装置１７に接続され、データバッファリング装置１７から出力された放送本編を入力し、調整装置１９によって調整されたタイミングで放送本編を再生端末装置２２に配信するサイマル放送配信サーバ１８とを備える。
【００２９】
シンクロアド放送配信装置１０は、更に、特徴データ照合／データ配信用サーバ１６から出力されたシンクロアドを入力し、入力したシンクロアドを一時的に蓄えて或いは緩衝して出力するバッファリング装置（データバッファリング装置）２０と、シンクロアド配信機能、再生端末装置２２のシンクロアド読込時間の計測機能、及びシンクロアドと読込時間（再生端末装置２２での表示時間）とを紐付けて調整装置１９に伝達する機能を有するシンクロアドファイル読込時計測、伝達モジュールＭ１を実装し、データバッファリング装置２０から出力されたシンクロアドを入力し、調整装置１９によって調整されたタイミングでシンクロアドを再生端末装置２２に配信するシンクロアド配信サーバ２１と、を備える。
【００３０】
シンクロアド放送配信装置１０は、データバッファリング装置１７及びデータバッファリング装置２０に接続され、再生端末装置２２から伝送された放送素材再生開始時とシンクロアド読込時の差を計算する機能、計算した時間の差をデータバッファー時間としていずれかのデータバッファリング装置に伝達する機能を有する調整時間計算、伝達モジュールＭ２を実装し、データバッファリング装置１７に入力された放送本編の広告枠とデータバッファリング装置２０に入力されたシンクロアドとの再生端末装置２２での表示タイミングを同期させるように調整する調整装置１９を備える。
【００３１】
上記構成において、データバッファリング装置１７がサイマル放送配信サーバ１８に、データバッファリング装置２０がシンクロアド配信サーバ２１に、それぞれ実装されて構成されるのがよい。
【００３２】
そして、シンクロアド放送配信装置１０は、素材のスタート時に再生される基準信号を感知した時間を計測する機能、調整装置１９に伝達する機能を有する基準信号感知、記録、伝達モジュールＭ３を実装し、サイマル放送配信サーバ１８から配信された放送本編を受信すると共に、シンクロアド配信サーバ２１から配信されたシンクロアドを受信する、携帯電話、携帯端末、ＰＣ（パーソナルコンピュータ）等の形式の再生端末装置２２を備える。
【００３３】
更に、シンクロアド放送配信装置１０は、再生端末装置２２のディスプレイ上に表示された広告関連情報を再生端末装置２２の利用者がクリックしたがどうかを検出するクリック検出装置２３と、クリック検出装置２３によってクリックしたことが検出された場合には、実施料金を算出するための実施料金算出装置２４と、を備えている。
【００３４】
次に、図２の動作フロー図を参照して、図１に示したシンクアド放送配信装置１０の動作を詳述する。
【００３５】
１．シンクロアド素材（同期タイミング調整用素材）１１の制作
再生スタート時に、基準信号を挿入したシンクロアド素材１１（１５秒、３０秒程度の広告や番組宣伝、等を想定）を制作する（ステップＳ１）。シンクロアド素材１１は、通常の素材制作と同様に制作され、例えば、１５秒ＣＭの場合、最初の０．２秒程度に特定の周波数（１KHｚなど音声）の基準信号が挿入される。
【００３６】
シンクロアド素材１１をデジタルファイル化し（ステップＳ２）、特徴量データ抽出／ファイル生成装置１４を用いてデジタルファイル化されたシンクロアド素材１１からその特徴量データだけを抜き出し（ステップＳ３）、抜き出した特徴量データのファイルを作成する（ステップＳ４）。
【００３７】
上記特徴量データのファイルの作成は、シンクロアド素材１１をデジタルファイル化（映像ならＡＶＩ、音声ならＷＡＶ、等）し、波形の特徴量データだけを抜き出し、その抜き出した特徴量データを数値化して、照合用の特徴量データのファイルを作成する。
【００３８】
本実施形態では、上記ステップＳ２乃至上記ステップＳ４は、フィンガープリント技術又は同等な技術を用いて実行されるのがよい。
【００３９】
２．放送本編の配信
放送局マスタ１２（より具体的には、テープメディアの場合にはＶＴＲ（Ｄ２、ＨＤカム、ベータカム）、ＤＡＴ、等に対する再生装置、又はオーディオ或いは映像ファイルの場合には専用のソフト或いはハード再生装置）により、シンクロアド素材１１を再生し（ステップＳ５）、マスタアウトから配信用データ形式にエンコーダ１３を用いてエンコードし（ステップＳ６）、サイマル放送配信サーバ１８からエンコードされた配信用ファイルを、例えばストリーミング方式で、配信する（ステップＳ７）。
【００４０】
なお、上記ステップＳ６では、シンクロアド素材１１が放送局マスタ１２により再生された後、通常のオーディオ端子（ＡＥＳ／ＥＢＵデジタル）、映像端子（ＢＮＣコンポーネントあるいはコンポジット）から出力された信号は、エンコーダ１３（ソフトウェアあるハードウェアで構成されたもの）に入力され、配信用ファイルに変換される。放送の場合は、エンコーダ１３を経て電波送信所まで伝送されてから送信される。
【００４１】
公衆通信網（例えば、インターネット）に接続された再生端末装置２２は、再生端末装置２２に実装された基準信号感知、記録、伝達モジュールＭ３を用いて、シンクロアド素材１１に挿入された基準信号（例えば、クリック音或いはキュー信号、等）を感知し（ステップＳ８）、基準信号を感知した後、素材が実際に再生された時間を計測し、当該素材を示す識別番号と同梱したファイルを生成して、基準信号を感知した時間（Ｎ時）を調整装置１９に送信する（ステップＳ９）。
【００４２】
再生端末装置２２は、例えば、適当なデコードソフトが搭載されたＰＣ、携帯電話、或いは携帯端末であるのがよい。また、地上波デジタル、地上波ワンセグ、ＢＳ、ＣＳデジタル放送の場合、再生端末装置２２は、専用のチューナ、デコーダが別途必要になり、基準信号を感知するために、トーンデコーダ（一定の周波数を感知する装置）又はバンドパスフィルタ（特定の周波数だけしか通過しない装置）を実装する必要がある。
【００４３】
３．シンクロアドの配信
特徴量データ照合／データ配信用サーバ１６により、放送を受信し、受信した放送の特徴量データがデータベース（ＤＢ）１５に格納されている特徴量データファイルの特徴量データと一致しするか或いは一定の閾値以上である場合には（ステップＳ１０）、シンクロアド配信サーバ２１は、シンクロアド配信サーバ２１に実装されたシンクロアドファイル読込時計測、伝達モジュールＭ１を用いてシンクロアド配信サーバ２１から再生端末装置２２に、再生端末装置２２に実装されたブラウザが表示することができる言語（ＨＴＭＬ、ＸＭＬ、ｃＨＴＭＬ、等）で記述されたシンクロアド（例えば、ｇｉｆ、等）を配信し（ステップＳ１１）、特徴量データを照合した時点で、シンクロアド配信サーバ２１に予め用意されたシンクロアドファイルが、ハイパーテキスト転送プロトコルｈｔｔｐｄによって再生端末装置２２に伝送されて読込まれ、表示され（ステップＳ１２）、シンクロアド配信サーバ（ｈｔｔｐｄサーバ）２１側には再生端末装置２２のブラウザがシンクロアドを読込み、表示する時間のログが残るので、シンクロアドファイル読込時計測、伝達モジュールＭ１を用いて、それによりログの時間を計測（Ｓ時）して（ステップＳ１３）、計測したログの時間（Ｓ時）を、シンクロアドの識別子とサーバログのタイムスタンプと同梱された新たな識別ファイルを生成して、調整装置１９に伝達する（ステップＳ１４）。
【００４４】
４．シンクロアド放送配信の調整
調整装置１９は、調整装置１９に実装された調整時間計算、伝達モジュールＭ２を用いて、基準信号感知時間（Ｎ時）とシンクロアドファイル読込ログ時間（Ｓ時）との差を計算し（ステップＳ１５）、その差に応じて、以下の３つの場合のいずれに該当するのかを比較する（ステップＳ１６）。
【００４５】
（１）Ｎ−Ｓ＜０の場合
放送配信時間よりシンクロアドファイルの表示時間が｜Ｎ−Ｓ｜時間遅延するために、シンクロアド配信サーバ２１に実装されたバッファリング装置２０により｜Ｎ−Ｓ｜時間のバッファを実行することによって同期を実現する（ステップＳ１７）。即ち、エンコードされたファイルを半導体メモリなどに一時記憶しておき、調整装置１９の調整時間計算、伝達モジュールＭ２により指示された時間後にストリーミングを開始する。
【００４６】
（２）Ｎ−Ｓ＞０の場合
放送配信時間よりシンクロアドファイルの表示時間が｜Ｎ−Ｓ｜時間早くなるために、サイマル放送配信サーバ１８に実装されたバッファリング装置１７により｜Ｎ−Ｓ｜時間のバッファを実行することによって同期を実現する（ステップＳ１８）。即ち、特徴量データを照合した時点で、調整装置１９の調整時間計算、伝達モジュールＭ２により指示された時間にデータを配信する。
【００４７】
（３）Ｎ−Ｓ＝０の場合には、同期しているので何も行わない。
【００４８】
上述したように、本発明のシンクロアド放送配信装置１０によれば、標準的な再生環境（通常のＩＰ公衆網など接続）の標準的な再生端末装置２２の放送本編の広告枠の再生時間（Ｎ時）と、シンクロアドの表示時間（Ｓ時：配信サーバのシンクロアド読込ログ）と、を計測して、その差分（Ｎ-Ｓ）を計算し、放送本編のサイマル放送配信サーバ１８及びシンクロアド配信サーバ２１のそれぞれに対してバッファリング時間を指定する調整装置１９を設けることにより、現行の放送装置に付加装置、等を改修することなしに、放送本編の広告枠及びシンクロアドの表示時間を調整して同期させることができる。
【００４９】
再生端末装置２２に入力したデジタル信号が、復調装置（デコードソフト、デコードハード、等（図示省略））により復調されて、音声、映像として再生されるまで、バッファリング、デコード、等により更に遅延が生じる場合がある。
【００５０】
従って、シンクロアド素材１１に挿入された基準信号（例えば１ＫＨｚのような一定の周波数の信号）が再生端末装置２２に入力したタイミングで感知するのではなく、復調装置により再生されたタイミングで感知（トーンデコーダなど）して、そのタイムスタンプを同梱して、調整装置１９に伝達する。
【００５１】
｜Ｎ−Ｓ｜時間のバッファリングを実行しても、再生端末装置２２に入力したデジタル信号の復調時間が比例するとは限らないために、バッファリング実行後、再び、シンクロアド素材１１を再生して、Ｎ１時間、Ｓ１時間を計測｜Ｎ１−Ｓ１｜時間をバッファリングというルーチンを繰り返すことにより同期の精度を上げることができる。
【００５２】
ここで、上述したシンクロアド素材１１について、更に詳述する。
【００５３】
まず、シンクロアドを放送配信するための準備段階として、テレビ或いはラジオＣＭの素材の入稿手順について説明する。
【００５４】
入稿手順は、テレビＣＭ、ラジオＣＭの素材原板（マザー）を、広告会社、広告制作会社で制作した後、出稿に必要なテレビＣＭ、ラジオＣＭの素材の本数を、通常のダビング装置を用いてＶＴＲの形式でコピーし、或いはファイル変換機器を用いて送稿用デジタルファイル化して、広告会社を経由してテレビ放送局、ラジオ放送局へ入稿する。
【００５５】
例えば、テレビＣＭについては、エンコーダ１３を用いて４桁の広告主コード及び６桁の素材コードで構成された１０桁ＣＭコードを付番する。
【００５６】
シンクロアドを実現するためには、この入稿手順において、ＶＴＲダビングやファイル変換を行う時点で、即ち、通常ＣＭの原版が集中するポストプロダクションで、特徴量データ抽出／ファイル生成装置１４を用いて特徴量データを抽出し、抽出した特徴量データに１０桁ＣＭコードにＣＭ特徴量データであることが識別できる拡張子ファイルを付けた特徴量データファイルを生成し、データベース１４に格納する。
【００５７】
シンクロアドは、テレビ、ラジオで放送される広告（ＣＭ）枠に同期して、ＰＣ、携帯などの再生端末装置２２のディスプレイに、広告主サイトとハイパーリンクされている広告関連情報を表示させ、当該表示された広告関連情報を再生端末装置２２の利用者がクリックするたびに、該広告関連情報に対応付けて設定された料金が自動的に発生する。
【００５８】
実施料金の発生は、クリック検出装置２３により再生端末装置２２のディスプレイ上に表示された広告関連情報を利用者がクリックしたがどうかを検出し（ステップＳ１９）、クリック検出装置２３によってクリックしたことが検出された場合には、実施料金算出装置２４によって実施料金が算出される（ステップＳ２０）。
【００５９】
クリック数は、シンクロアドサーバ、即ち、配信サーバ２１へのログの回数をカウントすることによって算出することができる（ステップＳ２１）。
【００６０】
ここで、実施料金算出装置２４によって実行されるシンクロアドの実施料金算出メカニズムについて説明する。
【００６１】
シンクロアドは、再生端末装置２２のディスプレイに表示された広告関連情報を利用者がクリックした時点で料金が発生する、所謂、成果報酬型の形式であるが、標準単価（基準単価）に対し、以下のようにして、実施単価が決定される：
【００６２】
実施単価の算出
（１）基準単価をａとした場合、出稿実績Ｔが大きくなるにしたがって一定の料率で単価が下がる；
（２）広告商品分類（中分類を想定）ごとに集計された出稿実績総和Ｓと、当該月の同分類のシンクロアド購入広告主の数によって、一定の料率で単価が上がる、クリック数Ｃが大きくなるにつれて一定の料率で単価が下がる；
（３）当該広告主は、より多くのＣＭを出稿することにより（出稿実績Ｔで表される）、シンクロアドの単価は下がっていく。出稿実績総和Ｓは、競合他社も含めた同じ分類の商品ＣＭの総量を表しているが、シンクロアド購入希望の広告主数が一定の数を超えると単価が上がっていく。
【００６３】
例として、１社当りの基準量を１００と設定した場合、出稿実績総和Ｓの値が３００の場合には、３社までは基準単価で購入することができるが４社目以降は、一定の料率で単価が上昇する。
【００６４】
ここで、上記の出稿実績Ｔ、出稿実績総和Ｓ、及びクリック数Ｃについてそれぞれ説明する。
【００６５】
１．当該広告主の一定期間の対象放送局に対する出稿実績Ｔ
テレビの場合１５秒、ラジオの場合２０秒のＣＭを基本単位として、放送時間に応じて一定の乗率を掛けた値の総和
（例）月〜金曜日
（１ａ）乗率１：
２４時３０分〜７時
（１ｂ）乗率１．５：
７時〜９時３０分；
１４時〜１５時；
１７時〜１８時；
２３時３０分〜２４時３０分
（１ｃ）乗率２．５：
１２時〜１４時；
１８時〜１９時；
２３時〜２３時３０分
（１ｄ）乗率４．０：
１９時〜２３時
【００６６】
２．当該広告主（広告商品）が属する分類（中分類）の一定期間の出稿実績総和Ｓ
広告商品分類表（例：大分類［金融・保険］；中分類［保険］；小分類［生命保険、がん保険、自動車保険、等］）に基づく、中分類に属する広告商品の放送時間の総和（計算方法は１と同様）
（例）中分類  消費者金融  アイフル、プロミス、武富士、レイク  の総出稿量
【００６７】
３．当該広告主のシンクロアドに対するクリック数Ｃ
再生端末装置２２のディスプレイに表示された当該広告主による広告関連情報を利用者がクリックした数である。
【００６８】
放送ＣＭ集計用のサブ装置
上述した出稿実績Ｔ及び出稿実績総和Ｓの値は、それぞれ、ＣＭ特徴量データを格納したデータベース１４と実際の放送を照合することによって算出することができる。
【００６９】
シンクロアドの特徴
現行のテレビＣＭ、ラジオＣＭでは、限られたＣＭの時間では伝えることができない情報（例えば、商品の詳しい説明、資料請求、購入、等、に関する情報）をユーザに提供するために、検索キーワードをＣＭ内で告知して、ユーザの検索を促し、広告主サイトへ誘導するような手法を用いた、所謂、検索連動型広告が用いられている。
しかしながら、シンクロアドは、ＣＭが放送と同期して、携帯、ＰＣ、等の再生端末装置２２のディスプレイに当該ＣＭ関連情報が表示され、ユーザがＣＭ関連情報について更に詳しい情報を望む場合には、従来の手法であるキーワードを覚えて検索するというステップを用いることなく、再生端末装置２２のディスプレイに表示されている当該ＣＭ関連情報をクリックするだけで広告主サイトへ誘導するように構成されるので、ＣＭの視聴からダイレクトにＣＭ関連情報について更に詳細な情報を得るためにリンクにより対応するサイトへ誘導することができる。
【００７０】
テレビＣＭ、ラジオＣＭは、通常、１５秒、２０秒、或いは３０秒のような短い時間で放送されるので、シンクロアドが成り立つためには、放送本編の広告枠とＣＭ放送（及びＣＭ関連情報）との間で高い精度の同期制御を実施する必要がある。これは、特に大きな遅延が生じ得るＩＰＴＶ、ＩＰラジオにおいてシンクロアドを実施するために重要となる。このように高い精度の同期制御を確実に実現することができる装置が、本発明によるシンクロアド放送配信装置１０である。
【００７１】
デジタル放送の場合、専用機（テレビ受像機など）でもデコードにより遅延が生じる。また、今後普及が予想される汎用機向けＩＰＴＶ、ＩＰラジオ（サイマル放送）については、専用のハードデコーダではなく、ソフトウェアデコーダの利用が一般的であり、安定した再生のため、大きなデータバッファリング時間を設定し、場合によっては数十秒の遅延が生じるケースもある。
【００７２】
放送本編の番組内容に連動したシンクロアドであれば、表示に多少のずれがあっても実用上それ程大きな問題にならないが、放送枠との兼ね合いでシンクロアドの場合には、ＣＭを視聴、聴取した瞬間或いはその直後にＣＭ関連情報が再生端末装置２２のディスプレイ上に表示されないと無意味なものになってしまう。
【００７３】
シンクロアドであれば、例えば、天候が急変して、雨天や降雪になった場合、等、それらに見合ったＣＭ素材をリアルタイムで視聴、聴取させることが可能になる。また、ある映画をＴＶ放映しているときに、その一場面に登場したアイテム（例えば、腕時計、シャンペン、等）を、そのアイテムが登場した直後のＣＭ枠で、ＣＭ素材として放映すれば、ＣＭの視聴、聴取もより効果的になり得る。
【００７４】
シンクロアドは、ＣＭに連動して、例えば、ＣＭに係わる社名、商品名、サービス名、等、をテキスト形式で再生端末装置２２のディスプレイに、例えば、リンク先のプルダウンメニューを表示し、視聴者が取得したい情報に係わるリンク先を選択することにより、選択に応じた広告主のサイトへリンクするように構成されているので、天気やイベントの結果、等、に応じてリンク先を変更することが可能である。即ち、本発明のシンクロアド放送配信装置１０は、リダイレクトサーバ（図示省略）を更に備え、状況に応じて臨機応変にリダイレクトしてリンク先を変更することができるように構成されている。
【００７５】
特に、ＩＰＴＶやＩＰラジオのように大きな遅延が生じる場合には、ＣＭ関連情報が放送前に表示されるケースも想定されるが、このような状況が発生すれば、シンクロアドは、商品として成り立たない。
【００７６】
従って、複数の伝送路、複数の再生端末装置という今後の放送通信融合の状況下にあったとしても、シンクロアドが成立しうるために、本発明によるシンクロアド放送配信装置１０の利用が不可欠になる。
【図面の簡単な説明】
【００７７】
【図１】図１は、本発明によるシンクロアド放送配信装置の概略構成を示す図である。
【図２】図２は、図１のシンクロアド放送配信装置の動作を説明するためのフロー図である。
【図３】図３は、図１のシンクロアド放送配信装置の動作を説明するための図２に続くフロー図である。
【図４】図４は、図１のシンクロアド放送配信装置の動作を説明するための図３に続くフロー図である。
【図５】図５は、図１のシンクロアド放送配信装置の動作を説明するための図４に続くフロー図である。
【符号の説明】
【００７８】
１０  シンクロアド放送配信
１１  放送用素材（シンクロアド素材）
１２  放送局マスタ
１３  エンコーダ
１４  特徴量データ抽出／ファイル生成装置
１５  データベース（ＤＢ）
１６  特徴量データ照合／データ配信用サーバ
１７  バッファリング装置（データバッファリング装置）
１８  サイマル放送配信サーバ
１９  調整装置
２０  バッファリング装置（データバッファリング装置）
２１  シンクロアド配信サーバ
２２  再生端末装置
２３  クリック検出装置
２４  実施料金算出装置
Ｍ１  シンクロアドファイル読込時計測、伝達モジュール
Ｍ２  調整時間計算、伝達モジュール
Ｍ３  基準信号感知、記録、伝達モジュール
【図１】
0005163881.tif 000002
【図２】
0005163881.tif 000003
【図３】
0005163881.tif 000004
【図４】
0005163881.tif 000005
【図５】
0005163881.tif 000006